(57)【要約】【課題】飼い牛を害フライ（はえ）から守ると同時に、害虫駆除剤の環境への放出量を減少させる、飼い牛用フライプロテクターを提供する。【解決手段】長方形織地シート，前側取付手段，後側取付手段，複数の結合手段及びシール手段を有する、飼い牛用フライプロテクター。フライプロテクターは更に、脚カバーを有することができる。フライプロテクターは、布素材，伸縮自在素材，ポリマー素材から作ることができ、また素材は多孔状であってもよい。【選択図】　　　図１
2004016190.tif 000002
【特許請求の範囲】
【請求項１】
長方形織地シートを有しており、
上記長方形織地シートの対向する第１の側端及び第２の側端は、互いに平行であり、かつ飼い牛のほぼ背峰から尾の根元までの長さを有しており、
上記長方形織地シートの対向する第３の側端及び第４の側端は、互いに平行であり、かつ飼い牛の上記背峰から尾の根元までの間の上記飼い牛の背及び腹の部分を包む長さを有しており、
上記長方形織地シートの第１の側端かつ第３の側端付近に取付けられ、かつ上記飼い牛の首を回る前側取付手段と、
上記長方形織地シートの第１の側端かつ第４の側端付近に取付けられ、かつ上記飼い牛の尾の根元を回る後側取付手段と、
上記長方形織地シートが上記飼い牛に巻かれた後、上記長方形織地シートの第１の側端と第２の側端とを、上記飼い牛の最上端部上でかつそれに沿って、互いにつなぐ複数の結合手段と、
上記長方形織地シートの第１の側端と第２の側端とが互いにつながれた後、上記長方形織地シートの第１の側端と第２の側端との間をシールするシール手段とを有する
ことを特徴とする飼い牛のフライプロテクター。
【請求項２】
上記長方形織地シートは、上記長方形織地シートの第１の側端及び第２の側端に平行であり、かつ上記長方形織地シートの全ての側端から離れて中央部に位置するスリットを有する
ことを特徴とする請求項１に記載の飼い牛のフライプロテクター。
【請求項３】
上記長方形織地シートは、伸縮自在の素材で出来ており、かつ多孔状であり、かつその孔径は１ミリメートル以下である
ことを特徴とする請求項１に記載の飼い牛のフライプロテクター。
【請求項４】
上記前側取付手段は、飼い牛の首を囲みかつ飼い牛のほぼ首の上端から背峰までの長さを有するチューブ状織地シートである
ことを特徴とする請求項１に記載の飼い牛のフライプロテクター。
【請求項５】
上記後側取付手段は、弾性を有する紐である
ことを特徴とする請求項４に記載の飼い牛のフライプロテクター。
【請求項６】
前脚及び後脚カバーを更に有する
ことを特徴とする請求項５に記載の飼い牛のフライプロテクター。
【請求項７】
上記前脚及び後脚カバーは、
上記飼い牛の前脚のそれぞれのほぼけづめからひじの位置までの長さを有し、上側部分が下側部分よりも大径の円錐状織地シートからなる第１の一対の脚カバーと、
上記第１の一対の脚カバーの上部部分を飼い牛の背の上を通って互いにつなぐ第１の弾性を有する取付手段と、
上記飼い牛の後脚のそれぞれのほぼけづめからひざの位置までの長さを有し、上側部分が下側部分よりも大径の円錐状織地シートからなる第２の一対の脚カバーと、
上記第２の一対の脚カバーの上部部分を飼い牛の背の上を通って互いにつなぐ第２の弾性を有する取付手段とを有する
ことを特徴とする請求項６に記載の飼い牛のフライプロテクター。
【請求項８】
更に第３の弾性を有する取付手段を有しており、
上記第３の弾性を有する取付手段の一端部が上記第１の弾性を有する取付手段の中央部に結ばれ、
上記第３の弾性を有する取付手段の他端部が上記第２の弾性を有する取付手段の中央部に結ばれる
ことを特徴とする請求項７に記載の飼い牛のフライプロテクター。
【請求項９】
上記長方形織地シートは、上記長方形織地シートの第１の側端及び第２の側端に平行であり、かつ上記長方形織地シートの全ての側端から離れて中央部に位置するスリットを有する
ことを特徴とする請求項８に記載の飼い牛のフライプロテクター。
【請求項１０】
全ての織地シートが伸縮自在かつ多孔状の素材で作られており、かつ上記多孔状の素材の孔径は１ミリメートル以下である
ことを特徴とする請求項９に記載の飼い牛のフライプロテクター。
【請求項１１】
上記前側取付手段は、弾性を有する紐である
ことを特徴とする請求項１に記載の飼い牛のフライプロテクター。
【請求項１２】
上記後側取付手段は、弾性を有する紐である
ことを特徴とする請求項１１に記載の飼い牛のフライプロテクター。
【請求項１３】
更に前脚及び後脚カバーを有する
ことを特徴とする請求項１２に記載の飼い牛のフライプロテクター。
【請求項１４】
上記前脚及び後脚カバーは、
上記飼い牛の前脚のそれぞれのほぼけづめからひじの位置までの長さを有し、上側部分が下側部分よりも大径の円錐状織地シートからなる第１の一対の脚カバーと、
上記第１の一対の脚カバーの上部部分を飼い牛の背の上を通って互いにつなぐ第１の弾性を有する取付手段と、
上記飼い牛の後脚のそれぞれのほぼけづめからひざの位置までの長さを有し、上側部分が下側部分よりも大径の円錐状織地シートからなる第２の一対の脚カバーと、
上記第２の一対の脚カバーの上部部分を飼い牛の背の上を通って互いにつなぐ第２の弾性を有する取付手段とを有する
ことを特徴とする請求項１３に記載の飼い牛のフライプロテクター。
【請求項１５】
更に第３の弾性を有する取付手段を有しており、
上記第３の弾性を有する取付手段の一端部が上記第１の弾性を有する取付手段の中央部に結ばれ、
上記第３の弾性を有する取付手段の他端部が上記第２の弾性を有する取付手段の中央部に結ばれる
ことを特徴とする請求項１４に記載の飼い牛のフライプロテクター。
【請求項１６】
上記長方形織地シートは、上記長方形織地シートの第１の側端及び第２の側端に平行であり、かつ上記長方形織地シートの全ての側端から離れて中央部に位置するスリットを有する
ことを特徴とする請求項１５に記載の飼い牛のフライプロテクター。
【請求項１７】
全ての織地シートが伸縮自在かつ多孔状の素材で作られており、かつ上記多孔状の素材の孔径は１ミリメートル以下である
ことを特徴とする請求項１６に記載の飼い牛のフライプロテクター。
【請求項１８】
全ての織地シートが伸縮自在かつ多孔状の素材で作られており、かつ上記多孔状の素材の孔径は３ミリメートル以下である
ことを特徴とする請求項１６に記載の飼い牛のフライプロテクター。
【発明の詳細な説明】
【０００１】
【発明の背景】
飼い牛産業は外部寄生生物による商業的損失に苦しめられている。これらの損害は従来よく報告されている。例えば農業科学百科辞典１９９４年版第２巻に記載されたテキサスのＵＳＤＡ−農業リサーチサービスのＳ．Ｅクンツによる家畜ペスト（Ｓ．Ｅ．Ｋｕｎｚ，　Ｌｉｖｅｓｔｏｃｋ　Ｐｅｓｔｓ，　ＵＳＤＡ−Ａｇｒｉｃｕｌｔｕｒａｌ　Ｒｅｓｅａｒｃｈ　Ｓｅｒｖｉｃｅ，　Ｔｅｘａｓ，　ｉｎ：　Ｅｎｃｙｃｌｏｐｅｄｉａ　ｏｆ　Ａｇｒｉｃｕｌｔｕｒａｌ　Ｓｃｉｅｎｃｅ，　Ｖｏｌｕｍｅ　２，　１９９４）によれば、次の害虫による損害を次のように報告している：（ａ）ホーンフライ（Ｈｏｒｎ　Ｆｌｙ）−８７６百万ドル（ｂ）サシバエ（Ｓｔａｂｌｅ　ｆｌｙ）−４３２百万ドル（ｃ）アブ（Ｈｏｒｓｅ　ｆｌｙ）−１９０百万ドル（ｄ）蚊（Ｍｏｓｑｕｉｔｏｓ）−５０百万ドル（ｅ）キャトルグラブ（ｃａｔｔｌｅ　ｇｒｕｂ）−５６０百万ドル。
ホーンフライは最も経済的に損害を与える害虫として見られており、牧畜牛に最大１４パーセントの体重ロスを引き起こす。フライコントロール　（ｆｌｙ　ｃｏｎｔｒｏｌ）が実施されると、フライコントロールが実施された雌牛の子牛は、ホーンフライに群がれた子牛よりも最大６キログラム体重が多くなる。去勢牛及び若雌牛もまた、フライコントロールが実施されないときホーンフライによって影響を受ける。
サシバエは、飼い牛産業を妨害する他の寄生動物である。サシバエは、強制的に食べ物漬けされた状態　（ｆｅｅｄ　ｌｏｔ　ｓｉｔｕａｔｉｏｎ）　で１子牛当たり約０．２５キログラムだけ、食肉用の牛（ｂｅｅｆ　ｃａｔｔｌｅ）の１日当たり平均体重増を減らす。デイリー牛（ｄａｉｒｙ　ｃａｔｔｌｅ）のミルク生産はまた、サシバエにより減少する。アブや蚊はかまれた動物が処置されずにそのまま放置されるとかなりの体重減少又は死に至りうる、アナプラズマ症の昆虫運び屋（ｖｅｃｔｏｒ）である。
飼い牛産業は、一般に害虫駆除剤を用いてこれらの商業的損失に対処してきた。害虫駆除剤を用いる問題点は、それらが処理された昆虫の全てを除去せず、これが処理された害虫のより抵抗性のある変種（ｓｔｒａｉｎ）への道を開くことである。この問題はエピゾーティ科学的技術的考察　（Ｓｃｉｅｎｔｉｆｉｃ　ａｎｄ　Ｔｅｃｈｎｉｃａｌ　Ｒｅｖｉｅｗ　ｏｆ　ｔｈｅ　Ｏｆｆｉｃｅ　Ｉｎｔｅｒｎａｔｉｏｎａｌ　ｄｅｓ　Ｅｐｉｚｏｏｔｉｅｓ），　１９９４，　１３（４）　の１２４９−１２８６頁のＳ．Ｅ．　クンツ及び　Ｋ．Ｈ．　ケンプによる害虫駆除剤及びダニ駆除剤：抵抗性及び環境へのインパクト　（Ｓ．Ｅ．　Ｋｕｎｚ　ａｎｄ　Ｋ．Ｈ．　Ｋｅｍｐ　，　Ｉｎｓｅｃｔｉｃｉｄｅｓ　ａｎｄ　Ａｃａｒｉｃｉｄｅｓ：　Ｒｅｓｉｓｔａｎｃｅ　ａｎｄ　Ｅｎｖｉｒｏｎｍｅｎｔａｌ　Ｉｍｐａｃｔ，　Ｒｅｖ．　Ｓｃｉ．　Ｔｅｃｈ．　Ｏｆｆ．　Ｉｎｔ．　Ｅｐｉｚ．，　１９９４，　１３（４），　ｐａｇｅｓ　１２４９−１２８６）に資料化されている。
【０００２】
遺伝子選択（ｇｅｎｅｔｉｃ　ｓｅｌｅｃｔｉｏｎ）が、害虫駆除剤抵抗性への底に流れる過程である。多くの場合昆虫は、害虫駆除剤に完全にはさらされないことと対照的に遺伝子的違いにより、害虫駆除剤処理に生き残ることが、資料として報告されている。害虫駆除剤により害フライに課せられる選択的プレッシャーは、利用される害虫駆除剤に等しく抵抗性がある、より強い変種を子孫に残す、生き残り害フライへと導く。アメリカ合衆国において次の害フライが害虫駆除剤に抵抗性があるとして示されている：ホーンフライ，バッファローフライ（ｂｕｆｆａｌｏ　ｆｌｙ）及びシープブローフライ（ｓｈｅｅｐ　ｂｌｏｗｆｌｙ）。害虫駆除剤使用者が蒙る共通の問題は、次のことである：（１）　使用者は、害虫駆除剤で動物を処置した後、生き残った害フライを見る、（２）　彼らはなぜ害フライの全てが死なないのかを理解していない、（３）　その結果、彼らは、動物を処置するときに使用する害虫駆除剤の使用量を増加する。この害虫駆除剤の増加は、単に、害虫駆除剤により抵抗性のある害フライの将来の世代を作るためにのみ働く。業界はこの問題に、動物を処置するために用いる害虫駆除剤を変えることにより、対処している。このアプローチの問題は、動物が新しい害虫駆除剤に適応し、サイクルが繰り返されることである。現在の傾向は、害虫駆除剤に対する抵抗性が、これらの害フライにおいて増加してきており、新しい害虫駆除剤を生産する業界の努力が低下してきていることである。問題と戦うために害虫駆除剤を使用する問題は、害虫駆除剤は多くの動物にとって毒であり、環境に対して害があるということである。
これらの問題に対処する試みに関する情報として米国特許第５，４１９，０７６、第５，１０４，６５９、第４，５７９，０８５及び第　４，１４１，１７３がある。しかしながらこれらの資料のそれぞれは、次の不利益の一つ又はそれ以上を持っている：害虫駆除剤抵抗性及び動物が処置された後に再び害フライが群がること。
従って害虫駆除剤から環境を保護することを同時に行うと共に、飼い牛産業における害フライの影響を最小化するためのデバイス又は方法を発達させる差し迫った必要性が業界にある。
【０００３】
本発明は、飼い牛を害フライから守ると同時に、害虫駆除剤の環境への放出量を減少させる必要性を満足する、飼い牛用フライプロテクターを提供することにある。
【０００４】
【課題を解決するための手段】
飼い牛用フライプロテクターは、第１の側端と第２の側端とが互いに平行でありかつ飼い牛のほぼ背峰から尾の根元位置までの長さがあり、第３の側端と第４の側端とが互いに平行でありかつ飼い牛の背峰と尾の根元位置との間の背及び腹を包む長さがある、長方形織地シートを有している。長方形織地シートは、長方形織地シートの第１及び第３の側端近くに設けられ、飼い牛の首のまわりに巻かれかつフライプロテクターを飼い牛の上に保持する、前側取付手段を有している。長方形織地シートは、長方形織地シートの第１及び第４の側端近くに設けられ、飼い牛の尾の根元のまわりに巻かれかつフライプロテクターを飼い牛の上に保持する、後側取付手段を有している。また長方形織地シートは、長方形織地シートが飼い牛の背及び腹の部分に巻かれた後、第１の側端と第２の側端とを飼い牛の背（上部位置）でつなぐ、複数の結合手段を有している。そして、長方形織地シートは、長方形織地シートの第１の側端と第２の側端との間に隙間が生じないように、長方形織地シートの第１の側端と第２の側端との間の複数の結合手段の間の隙間をシールする、シール手段を有している。シールする理由は、害虫がこのつなぎ目から入り込むのを防止すると同時に、長方形織地シートの第１の側端と第２の側端とのつなぎ目の強度を増すためである。フライプロテクターは好ましくは、直径３ミリメートル以下の孔径の多孔状の伸縮自在の素材で作られる。フライプロテクターは、長方形織地シートの第１の側端と第２の側端とに平行でありかつ長方形織地シートの全ての側端から離れて中央部に配置されたスリットを有していてもよい。
【０００５】
本発明の他の態様として、前側取付手段は、飼い牛の首と背峰との間におさまるチューブ状織地シートであってもよい。チューブ状織地シートは、複数の結合手段を用いて、フライプロテクターの前側部分に取付けられ、またフライプロテクターの前側部分とチューブ状織地シートとの間をシールするシール手段を設けてもよい。チューブ状織地シートは、飼い牛の首部分が害フライに噛まれることを防止する。
【０００６】
本発明の他の態様として、飼い牛のほぼけづめ　（ｄｅｗ　ｃｌａｗ）　からひじ　（ひざ）までをカバーする円錐状織地シートからなる脚プロテクターを有していてもよい。脚プロテクターは、前脚プロテクター同士が互いに、飼い牛の背の上を通る弾性を有する手段でつながれ、また後脚プロテクター同士が互いに、飼い牛の背の上を通る弾性を有する手段でつながれていてもよい。脚プロテクターの目的は、乳牛を、それに習慣的に寄生する害フライから守るためである。弾性を有する手段の目的は、脚プロテクターが飼い牛の脚からずれ落ち、従ってこれにより脚プロテクターの目的が損なわれるのを防止するためである。
【０００７】
本発明において、織地シートは多孔状であってもよい。その孔は直径３ミリメートルまで可能である。織地シートの孔の大きさは、飼い牛に寄生する害虫に基づいて定められる。
【０００８】
【発明の実施の形態】
よりよい理解のために、本発明の実施の形態が、図面の実際の適用に基づいて、ここに示される。
図１に示すように飼い牛用フライプロテクターは長方形織地シート　（ｓｈｅｅｔ　ｏｆ　ｆａｂｒｉｃ）　１０を有している。
上記長方形織地シートの第１の側側１２及び第２の側端１６は互いに平行であり、上記長方形織地シートの第３の側側１８及び第４の側端２０は互いに平行であり、前側取付手段２２は長方形織地シート１０の第１の側端１２及び第３の側端１８のそばに設けられており、後側取付手段２４は長方形織地シート１０の第１の側端１２及び第４の側端２０のそばに設けられている。
また、長方形織地シート１０がプロテクトされる飼い牛のまわりに巻かれた後、長方形織地シートの第１の側端１２と第２の側端１６とつなぐための複数の結合手段２６が設けられている。上記つなぎは飼い牛の最も上方部にそって作られかつ並べられる。
また最後に、長方形織地シートの第１の側端１２と第２の側端１６が複数の結合手段２６間でシールされるように、結合手段間にはシール手段が施される。
長方形織地シートは、布素材，伸縮自在素材，ポリマー素材等が用いられ、素材は多孔状であってもよい。もし素材が多孔状であれば、その孔は直径３ミリメートル以下である。
長方形織地シートの第１の側端１２及び第２の側端１６は、飼い牛のほぼ背峰から尾の根元に至る長さであり、長方形織地シートの第３の側側１８及び第４の側端２０は、飼い牛の背及び腹を包む長さである。
前側取付手段２２は好ましくは長方形織地シート１０に縫われ或は公知の他の方法により取付けられた弾性を有する紐であることができる。前側取付手段２２はまた、弾性のない布材料で作ることが出来る。いずれの材料にせよ、前側取付け手段２２は、飼い牛の首のまわりに巻かれた後、その取付側に固定される。これにより長方形織地シートが後方にずれ下がるのが防止される。
後側取付手段２４は好ましくは長方形織地シート１０に縫われ或は公知の他の方法により取付けられた弾性を有する紐であることができる。後側取付手段２４はまた、弾性のない布材料で作ることが出来る。いずれの材料にせよ、後側取付手段２４は飼い牛の尾の根元まわりに巻かれた後、その取付側に固定される。これにより長方形織地シートが前方にずれ上がるのが防止される。
複数の結合手段２６は、クリップ，ボタン，押圧ボタン（ｐｒｅｓｓｕｒｅ　ｂｕｔｔｏｎ）又は２枚の素材を結合するための公知の他の任意の手段であることが出来る。長方形素材シートが飼い牛のまわりに巻かれた後、複数の結合手段２６が長方形素材生地の第１の側端１２と第２の側端１６との上に位置され、これにより飼い牛の胴まわりのチューブが形成される。長方形織地シートの第１及び第２側端のつなぎは、飼い牛の最も上方位置に沿って作られる。
そして最後に、複数の結合手段２６間のスペースをシールするためのシール手段が、長方形織地シート１０に施される。シール手段は、長方形織地シート１０をシールするための公知の接着剤であることが出来る。シール手段はまた、登録商標「ベルクロ」で通常売られている、互いに押し付けられたときにくっつく材料から作られていてもよい。
フライプロテクターは、長方形織地シートの第１の側端１２及び第２の側端１６に平行であり、長方形織地シート１０の全側端から離れて中央部に設けられた、スリット２８を有していてもよい。これにより尿の放出等が可能になる。
【０００９】
図３に示される本発明の他の実施態様として、前側取付手段４０は、布素材，伸縮自在素材，ポリマー素材から作られた、チューブ状織地シート４０であってもよい。チューブ状生地素材４０は、ほぼ飼い牛の首の上端位置から背峰に至る長さを有している。チューブ状織地シート４０は、上記の長方形織地シート１０の第１の側端１２と第２の側端１６とをつなぐために用いた手段と同じ手段を用いて、長方形織地シート１０につながれる。図４は、本発明のこの態様を飼い牛に取り付けた状態を示す。
【００１０】
図２に示す本発明の他の態様として、フライプロテクターは更に前脚及び後脚カバーを有している。前脚カバーは、布織地，伸縮自在織地又はポリマー織地から作ることが出来る。
前脚カバーは、第１の弾性取付手段３２により互いに固定された第１の一対の円錐状織地シート３０を有している。第１の円錐状織地シート３０は、ほぼ飼い牛のそれぞれの前脚のけづめ（ｄｅｗ　ｃｌａｗ）の位置からひじの位置までの長さを有しており、またそれぞれの円錐状織地シートの上部は下部に対して大径になっている。
第１の弾性取付手段３２は、第１の円錐シートのそれぞれの上部に公知の手段によりつながれる、弾性を有する紐であることが出来る。
後脚カバーは、第２の弾性取付手段３６により互いに固定された第２の一対の円錐状織地シート３４を有している。第２の円錐状織地シート３４は、ほぼ飼い牛のそれぞれの後脚のけづめ（ｄｅｗｃｌａｗ）の位置からひざの位置までの長さを有しており、またそれぞれの円錐状織地シートの上部は下部に対して大径になっている。
第１の弾性取付手段３２は、第１の円錐シートのそれぞれの上部に公知の手段によりつながれる、弾性を有する紐であることが出来る。
第１の弾性取付手段３２及び第２の弾性取付手段３６は、前脚カバー及び後脚カバーが飼い牛に取付けられた後、飼い牛の背の部分を通るように取付けられる。前脚カバー及び後脚カバーが飼い牛に取付けられた状態を図６に示す。
前脚カバー及び後脚カバーは更に、その一端部が第１の弾性取付手段３２の中央部で結ばれ、その他端部が第２の弾性取付手段３６の中央部で結ばれた、第３の弾性取付手段を有していてもよい。第３の弾性取付手段は、弾性を有する紐から作られ、第１の弾性取付手段３２と第２の弾性取付手段３６とを飼い牛の上に保持する作用をする。
【００１１】
この発明は、動物にフライプロテクターを取付けることにより、用いられる。飼い牛のフライプロテクターを取付けるために、飼い牛は固定装置内に置かれ、飼い牛の下側に長方形織地シートを滑り込ませ、それから長方形織地シートの第１及び第２の側端を互いにつなぎ、それから前側固定手段及び後側固定手段を飼い牛に取付ける。完全なフライプロテクターを用いる場合には、脚カバーを飼い牛の脚に取付け、これによりフライプロテクターは完全装備になる。フライプロテクターは害フライが群がりやすい温度を持つ地域で用いられる。フライプロテクターはまた、乳牛に用いられる。なぜなら、害フライは、乳牛の脚下部に取り付きやすいからである。
【００１２】
ここに述べた構成，態様は、この発明のスコープ内で、当業者により種々に変更することができる。それゆえ本発明は最良の実際的かつ好ましい実施態様と信じられるものとして示されまた述べられているが、ここに開示された詳細に限定されず、かついかなる均等的な方法及び物をも含む完全なスコープを有する本発明の範囲内で、それらから離れることが出来る。
【００１３】
【発明の効果】
以上述べた本発明は、環境に放出される害虫駆除剤の量を最小にし、飼い牛の健康を保持し、飼い牛の体重増加を最大にし、現在の害虫駆除剤に対する害フライの抵抗性をスローダウンし、かつ飼い牛の動きを抑止しないという多くの利点を有している。また伸縮自在の素材を用いることにより、飼い牛の動いたり、寝そべったり等の動作に制限を与えず、多孔状であると、空気が自由に出入りできて夏に飼い牛の体温が上昇することを防止する。孔径が１ミリメートル以下であればほとんど全ての害フライの寄生を防止できる。孔径を３ミリメートルにするとホーンフライの侵入を防ぐことができる。
【図面の簡単な説明】
【図１】飼い牛のためのフライプロテクターの平面図である。
【図２】飼い牛のためのフライプロテクターの斜視図及びこの発明の更なる実施形態を形成する一対の脚アクセサリーの斜視図である。
【図３】本発明の他の実施態様を示す、図１の前側取付手段にとって代わる前側取付手段を示す斜視図である。
【図４】前記前側取付手段がフライプロテクターにとりつけられた状態を示す側面図である。
【図５】フライプロテクターを飼い牛に取り付けた状態を示す上方側面から見た斜視図である。
【図６】フライプロテクターの前脚及び後脚カバーを飼い牛に取り付けた状態を示す側面図である。
【図１】
2004016190.tif 000003
【図２】
2004016190.tif 000004
【図３】
2004016190.tif 000005
【図４】
2004016190.tif 000006
【図５】
2004016190.tif 000007
【図６】
2004016190.tif 000008